(57)【特許請求の範囲】
【請求項１】
ネットワークを介して接続された情報端末装置及びデータ管理サーバと、該情報端末装置と所定のインタフェースにより脱着可能に接続されたデータ送受信装置と、該データ送受信装置と所定のワイヤレス通信方式により接続され該データ送受信装置により起動される複数台設置可能なデータ測定器とを備えたデータ管理システムであって、
前記データ送受信装置は、
データ測定器へ該データ測定器の起動指令を含む所定の情報を送信する情報送信手段と、
前記情報送信手段により送信された所定の情報に基づいて起動された前記データ測定器から送られたユーザの測定データを受信する測定データ受信手段と、
前記測定データ受信手段により受信した測定データに基づく測定情報であって該データ送受信装置を特定する機器認証情報を含むものを前記情報端末装置へ送信する測定情報送信手段とを備え、
前記情報端末装置は、
前記測定情報送信手段により送信された測定情報を前記データ管理サーバへ送信するネットワーク送信手段を備え、
前記データ管理サーバは、
前記ネットワーク送信手段により送信された測定情報をユーザ毎に所定の形式に基づきデータ記録部に記録する測定情報記録手段と、
予め前記データ記録部に記録されたユーザ認証情報を含むユーザ情報と前記情報端末装置を介して取得した前記データ送受信装置の機器認証情報とに基づき、該データ送受信装置と該ユーザ情報とが関連付けられて使用前登録されたか否かを判断する判断手段とを備えたことを特徴とするデータ管理システム。
【請求項２】
請求項１記載のデータ管理システムにおいて、前記データ管理サーバは、前記データ記録部に記録された測定情報を前記情報端末装置側に閲覧させる閲覧提供手段をさらに備えたことを特徴とするデータ管理システム。
【請求項３】
請求項１又は２記載のデータ管理システムにおいて、前記データ管理サーバは、
前記判断手段により前記データ送受信装置が使用前登録されていないと判断された場合、前記情報端末装置を介してユーザ認証情報を取得するユーザ認証情報取得手段と、
前記ユーザ認証情報取得手段により取得したユーザ認証情報に基づき前記データ記録部を検索する検索手段と、
前記検索手段により検索されたユーザ認証情報と前記機器認証情報とを関連付けする関連付け手段と、
前記検索手段により検索されたユーザ認証情報に対応するユーザ情報であって該ユーザ認証情報を除くものを、前記情報端末装置を介して前記データ送受信装置側へ登録する登録手段とをさらに備えたことを特徴とするデータ管理システム。
【請求項４】
請求項３記載のデータ管理システムにおいて、前記測定情報記録手段は、前記ネットワーク送信手段により送信された測定情報に含まれる機器認証情報がユーザ認証情報と関連付けられている場合に、該測定情報を該ユーザ認証情報に対応させて所定の形式に基づきデータ記録部に記録することを特徴とするデータ管理システム。
【請求項５】
請求項４記載のデータ管理システムにおいて、前記閲覧提供手段は、前記情報端末装置側にユーザ認証情報の入力を要求し、入力されたユーザ認証情報が前記データ記録部に記録されたユーザ認証情報と一致する場合、該ユーザ認証情報に対応する測定情報を該情報端末装置側に閲覧させることを特徴とするデータ管理システム。
【請求項６】
請求項３乃至５のいずれかに記載のデータ管理システムにおいて、前記ユーザ認証情報はユーザ識別子、パスワード、ユーザの生体的特徴のいずれか１つ以上の組合せであることを特徴とするデータ管理システム。
【請求項７】
請求項１乃至６のいずれかに記載のデータ管理システムにおいて、前記測定データ受信手段により受信するデータ測定器から送られた測定データは該データ測定器の測定器識別情報を含み、前記データ記録部はユーザ毎に使用する測定器識別情報が登録されており、
前記測定情報記録手段は、前記ネットワーク送信手段により送信された測定情報に含まれるデータ測定器の測定器識別情報が該測定情報に対応するユーザに関し未登録と判断された場合、該測定器識別情報を登録し、該測定情報をユーザ毎に所定の形式に基づきデータ記録部に記録することを特徴とするデータ管理システム。
【請求項８】
情報端末装置と所定のインタフェースにより脱着可能に接続されたデータ送受信装置であって、
所定のワイヤレス通信方式により接続され前記データ送受信装置により起動される複数台設置可能なデータ測定器へ該データ測定器の起動指令を含む所定の情報を送信する情報送信手段と、
前記情報送信手段により送信された所定の情報に基づいて起動された前記データ測定器から送られたユーザの測定データを受信する測定データ受信手段と、
前記測定データ受信手段により受信した測定データに基づく測定情報であって該データ送受信装置を特定する機器認証情報を含むものを前記情報端末装置へ送信する測定情報送信手段とを備え、
前記情報端末装置とネットワークを介して接続されたデータ管理サーバであってデータ記録部を有するものにより、予め該データ記録部に記録されたユーザ認証情報を含むユーザ情報と前記情報端末装置を介して取得した該データ送受信装置の機器認証情報とに基づき、該データ送受信装置と該ユーザ情報とが関連付けられて使用前登録されたか否かが判断されることを特徴とするデータ送受信装置。
【請求項９】
請求項８記載のデータ送受信装置において、前記測定情報は、前記情報端末装置から前記データ管理サーバへ送信され、ユーザ毎に所定の形式に基づき前記データ記録部に記録され、該データ管理サーバにより該情報端末装置側に閲覧されることを特徴とするデータ送受信装置。
【請求項１０】
請求項８又は９記載のデータ送受信装置において、前記データ管理サーバにより、前記データ送受信装置が使用前登録されていないと判断され、該情報端末装置を介して取得されたユーザ認証情報に基づき前記データ記録部が検索され、検索されたユーザ認証情報と該機器認証情報とが関連付けされ、検索されたユーザ認証情報に対応するユーザ情報であって該ユーザ認証情報を除くものが、該情報端末装置を介して該データ送受信装置側へ登録されることを特徴とするデータ送受信装置。
【請求項１１】
請求項１０記載のデータ送受信装置において、前記データ管理サーバにより、該測定情報に含まれる機器認証情報がユーザ認証情報と関連付けられている場合に、該測定情報は該ユーザ認証情報に対応させて所定の形式に基づきデータ記録部に記録されることを特徴とするデータ送受信装置。
【請求項１２】
請求項１１記載のデータ送受信装置において、前記データ管理サーバにより、前記情報端末装置側にユーザ認証情報の入力が要求され、入力されたユーザ認証情報が前記データ記録部に記録されたユーザ認証情報と一致する場合、該ユーザ認証情報に対応する測定情報を該情報端末装置側に閲覧させることを特徴とするデータ送受信装置。
【請求項１３】
請求項１０乃至１２のいずれかに記載のデータ送受信装置において、前記ユーザ認証情報はユーザ識別子、パスワード、ユーザの生体的特徴のいずれか１つ以上の組合せであることを特徴とするデータ送受信装置。
【請求項１４】
請求項９乃至１３のいずれかに記載のデータ送受信装置において、前記測定データ受信手段により受信するデータ測定器から送られた測定データは該データ測定器の測定器識別情報を含み、前記データ記録部はユーザ毎に使用する測定器識別情報が登録されており、
前記データ管理サーバにより、前記情報端末装置から送信された測定情報に含まれるデータ測定器の測定器識別情報が該測定情報に対応するユーザに関し未登録と判断された場合、該測定器識別情報が登録され、該測定情報をユーザ毎に所定の形式に基づきデータ記録部に記録されることを特徴とするデータ送受信装置。
【請求項１５】
ネットワークを介して情報端末装置と接続されたデータ管理サーバであって、
前記情報端末装置と所定のインタフェースにより脱着可能に接続されたデータ送受信装置により、該データ送受信装置と所定のワイヤレス通信方式により接続され該データ送受信装置により起動される複数台設置可能なデータ測定器へ該データ測定器の起動指令を含む所定の情報が送信され、該所定の情報に基づいて起動された該データ測定器から送られたユーザの測定データが受信され、該測定データに基づく測定情報であって該データ送受信装置を特定する機器認証情報を含むものが該情報端末装置を介して前記データ管理サーバへ送信され、
前記データ管理サーバは、送信された前記測定情報をユーザ毎に所定の形式に基づきデータ記録部に記録する測定情報記録手段と、
予め前記データ記録部に記録されたユーザ認証情報を含むユーザ情報と前記情報端末装置を介して取得した前記データ送受信装置の機器認証情報とに基づき、該データ送受信装置と該ユーザ情報とが関連付けられて使用前登録されたか否かを判断する判断手段とを備えたことを特徴とするデータ管理サーバ。
【請求項１６】
請求項１５記載のデータ管理サーバにおいて、前記データ記録部に記録された測定情報を前記情報端末装置側に閲覧させる閲覧提供手段をさらに備えたことを特徴とするデータ管理サーバ。
【請求項１７】
請求項１５又は１６記載のデータ管理サーバにおいて、
前記判断手段により前記データ送受信装置が使用前登録されていないと判断された場合、前記情報端末装置を介してユーザ認証情報を取得するユーザ認証情報取得手段と、
前記ユーザ認証情報取得手段により取得したユーザ認証情報に基づき前記データ記録部を検索する検索手段と、
前記検索手段により検索されたユーザ認証情報と前記機器認証情報とを関連付けする関連付け手段と、
前記検索手段により検索されたユーザ認証情報に対応するユーザ情報であって該ユーザ認証情報を除くものを、前記情報端末装置を介して前記データ送受信装置側へ登録する登録手段とをさらに備えたことを特徴とするデータ管理サーバ。
【請求項１８】
請求項１７記載のデータ管理サーバにおいて、
前記測定情報記録手段は、前記機器認証情報がユーザ認証情報と関連付けられている場合に、該測定情報を該ユーザ認証情報に対応させて所定の形式に基づきデータ記録部に記録することを特徴とするデータ管理サーバ。
【請求項１９】
請求項１８記載のデータ管理サーバにおいて、前記閲覧提供手段は、前記情報端末装置側にユーザ認証情報の入力を要求し、入力されたユーザ認証情報が前記データ記録部に記録されたユーザ認証情報と一致する場合、該ユーザ認証情報に対応する測定情報を該情報端末装置側に閲覧させることを特徴とするデータ管理サーバ。
【請求項２０】
請求項１７乃至１９のいずれかに記載のデータ管理サーバにおいて、前記ユーザ認証情報はユーザ識別子、パスワード、ユーザの生体的特徴のいずれか１つ以上の組合せであることを特徴とするデータ管理サーバ。
【請求項２１】
請求項１５乃至２０のいずれかに記載のデータ管理サーバにおいて、前記データ測定器から送られた測定データは該データ測定器の測定器識別情報を含み、前記データ記録部はユーザ毎に使用する測定器識別情報が登録されており、
前記測定情報記録手段は、前記情報端末装置を介して送信された測定情報に含まれるデータ測定器の測定器識別情報が該測定情報に対応するユーザに関し未登録と判断された場合、該測定器識別情報を登録し、該測定情報をユーザ毎に所定の形式に基づきデータ記録部に記録することを特徴とするデータ管理サーバ。
【請求項２２】
ネットワークを介して接続された情報端末装置及びデータ管理サーバと、該情報端末装置と所定のインタフェースにより脱着可能に接続されたデータ送受信装置と、該データ送受信装置と所定のワイヤレス通信方式により接続され該データ送受信装置により起動される複数台設置可能なデータ測定器とを用いるデータ管理方法であって、
前記データ送受信装置が、
データ測定器へ該データ測定器の起動指令を含む所定の情報を送信する情報送信ステップと、
前記情報送信ステップにより送信された所定の情報に基づいて起動された前記データ測定器から送られたユーザの測定データを受信する測定データ受信ステップと、
前記測定データ受信ステップにより受信した測定データに基づく測定情報であって該データ送受信装置の機器認証情報を含むものを前記情報端末装置へ送信する測定情報送信ステップと、
前記情報端末装置が、
前記測定情報送信ステップにより送信された測定情報を前記データ管理サーバへ送信するネットワーク送信ステップと、
前記データ管理サーバが、
前記ネットワーク送信ステップにより送信された測定情報をユーザ毎に所定の形式に基づきデータ記録部に記録する測定情報記録ステップと、
予め前記データ記録部に記録されたユーザ認証情報を含むユーザ情報と前記情報端末装置を介して取得した前記データ送受信装置を特定する機器認証情報とに基づき、該データ送受信装置と該ユーザ情報とが関連付けられて使用前登録されたか否かを判断する判断ステップとを備えたことを特徴とするデータ管理方法。
【請求項２３】
請求項２２記載のデータ管理方法において、前記データ管理サーバが、前記データ記録部に記録された測定情報を前記情報端末装置側に閲覧させる閲覧提供ステップをさらに備えたことを特徴とするデータ管理方法。
【請求項２４】
請求項２２又は２３記載のデータ管理方法において、前記データ管理サーバが、
前記判断ステップにより前記データ送受信装置が使用前登録されていないと判断された場合、前記情報端末装置を介してユーザ認証情報を取得するユーザ認証情報取得ステップと、
前記ユーザ認証情報取得ステップにより取得したユーザ認証情報に基づき前記データ記録部を検索する検索ステップと、
前記検索ステップにより検索されたユーザ認証情報と前記機器認証情報とを関連付けする関連付けステップと、
前記検索ステップにより検索されたユーザ認証情報に対応するユーザ情報であって該ユーザ認証情報を除くものを、前記情報端末装置を介して前記データ送受信装置側へ登録する登録ステップとをさらに備えたことを特徴とするデータ管理方法。
【請求項２５】
請求項２２乃至２４のいずれかに記載のデータ管理方法において、前記データ記録部はユーザ毎に使用する測定器識別情報が登録されており、
前記測定情報記録ステップは、前記ネットワーク送信ステップにより送信された測定情報に含まれるデータ測定器の測定器識別情報が該測定情報に対応するユーザに関し未登録と判断された場合、該測定器識別情報を登録し、該測定情報をユーザ毎に所定の形式に基づきデータ記録部に記録することを特徴とするデータ管理方法。
【発明の詳細な説明】
【技術分野】
【０００１】
本発明は、ネットワークを介して接続された情報端末装置及びデータ管理サーバと、情報端末装置と所定のインタフェースにより脱着可能に接続されたデータ送受信装置と、データ送受信装置と所定のワイヤレス通信方式により接続されたデータ測定器とを備えたデータ管理システム等に関する。
【背景技術】
【０００２】
近年、体組成計等をパーソナル・コンピュータ（ＰＣ）に接続して健康管理を行うシステムの開発が進められている。このようなシステムでは体組成計等とＰＣとの間を有線ケーブルで接続するものが主流となっているが（非特許文献１参照）、着脱式のメモリ媒体を介して測定データをＰＣへ取り込むものも存在する。インターネットを利用して健康管理を行うシステムの開発も進められており、このようなシステムでは例えば医療機関から取寄せた健診データ等の測定データを入力している（非特許文献２参照）。遠隔医療を考慮した場合、一般に大掛かりなシステム構成を要している（非特許文献３参照）。
【０００３】
【非特許文献１】“商品カタログ”、［online］、オムロン株式会社、［平成１８年３月８日検索］、インターネット、  <URL:http://www.healthcare.omron.co.jp/product/hbf354it_2.html>
【非特許文献２】“インターネット健康管理健多朗”、［online］、東北インフォメーション・システムズ株式会社、［平成１８年３月８日検索］、インターネット、  <URL:http://www.kenta.ne.jp/sa-bisumenu02.htm>
【非特許文献３】“遠隔医療とは”、［online］、鈴鹿医療科学大学、［平成１８年３月８日検索］、インターネット、  <URL:http://tele00.suzuka-u.ac.jp/!medicine/telemedicine.htm>
【発明の開示】
【発明が解決しようとする課題】
【０００４】
上述のように、従来の健康管理システムでは体組成計等を有線ケーブルでＰＣに接続していたため、体組成計等とＰＣとの間の距離は有線ケーブルの長さに限定されてしまうことなり、ＰＣから離れた所望の場所で測定することができないという問題があった。着脱式のメモリ媒体を介して体組成計等からＰＣへ測定データを取り込むシステムの場合、メモリ媒体の着脱というデータ交換のための面倒な操作を要するという問題があった。インターネットを利用して健康管理を行うシステムの場合、健診データ等の測定データの入力に極めて手間を要するという問題があった。遠隔医療の場合、機器等が極めて高価になってしまうという問題があった。
【０００５】
そこで、本発明の目的は、上記問題を解決するためになされたものであり、体組成計等のデータ測定器とＰＣとの間の距離が有線ケーブルの長さに限定されず、メモリ媒体の着脱というデータ交換のための面倒な操作を要することがなく、健診データ等の測定データの入力に手間を要することなく、且つ安価な機器構成のデータ管理システム等を提供することにある。
【課題を解決するための手段】
【０００６】
この発明のデータ管理システムは、ネットワークを介して接続された情報端末装置及びデータ管理サーバと、該情報端末装置と所定のインタフェースにより脱着可能に接続されたデータ送受信装置と、該データ送受信装置と所定のワイヤレス通信方式により接続され該データ送受信装置により起動される複数台設置可能なデータ測定器とを備えたデータ管理システムであって、前記データ送受信装置は、データ測定器へ該データ測定器の起動指令を含む所定の情報を送信する情報送信手段と、前記情報送信手段により送信された所定の情報に基づいて起動された前記データ測定器から送られたユーザの測定データを受信する測定データ受信手段と、前記測定データ受信手段により受信した測定データに基づく測定情報であって該データ送受信装置を特定する機器認証情報を含むものを前記情報端末装置へ送信する測定情報送信手段とを備え、前記情報端末装置は、前記測定情報送信手段により送信された測定情報を前記データ管理サーバへ送信するネットワーク送信手段を備え、前記データ管理サーバは、前記ネットワーク送信手段により送信された測定情報をユーザ毎に所定の形式に基づきデータ記録部に記録する測定情報記録手段と、予め前記データ記録部に記録されたユーザ認証情報を含むユーザ情報と前記情報端末装置を介して取得した前記データ送受信装置の機器認証情報とに基づき、該データ送受信装置と該ユーザ情報とが関連付けられて使用前登録されたか否かを判断する判断手段とを備えたことを特徴とする。
【０００７】
ここで、この発明のデータ管理システムにおいて、前記データ管理サーバは、前記データ記録部に記録された測定情報を前記情報端末装置側に閲覧させる閲覧提供手段をさらに備えることができる。
【０００８】
ここで、この発明のデータ管理システムにおいて、前記データ管理サーバは、前記判断手段により前記データ送受信装置が使用前登録されていないと判断された場合、前記情報端末装置を介してユーザ認証情報を取得するユーザ認証情報取得手段と、前記ユーザ認証情報取得手段により取得したユーザ認証情報に基づき前記データ記録部を検索する検索手段と、前記検索手段により検索されたユーザ認証情報と前記機器認証情報とを関連付けする関連付け手段と、前記検索手段により検索されたユーザ認証情報に対応するユーザ情報であって該ユーザ認証情報を除くものを、前記情報端末装置を介して前記データ送受信装置側へ登録する登録手段とをさらに備えることができる。
【０００９】
ここで、この発明のデータ管理システムにおいて、前記測定情報記録手段は、前記ネットワーク送信手段により送信された測定情報に含まれる機器認証情報がユーザ認証情報と関連付けられている場合に、該測定情報を該ユーザ認証情報に対応させて所定の形式に基づきデータ記録部に記録することができる。
【００１０】
ここで、この発明のデータ管理システムにおいて、前記閲覧提供手段は、前記情報端末装置側にユーザ認証情報の入力を要求し、入力されたユーザ認証情報が前記データ記録部に記録されたユーザ認証情報と一致する場合、該ユーザ認証情報に対応する測定情報を該情報端末装置側に閲覧させることができる。
【００１１】
ここで、この発明のデータ管理システムにおいて、前記ユーザ認証情報はユーザ識別子、パスワード、ユーザの生体的特徴のいずれか１つ以上の組合せであるものとすることができる。
【００１２】
ここで、この発明のデータ管理システムにおいて、前記測定データ受信手段により受信するデータ測定器から送られた測定データは該データ測定器の測定器識別情報を含み、前記データ記録部はユーザ毎に使用する測定器識別情報が登録されており、前記測定情報記録手段は、前記ネットワーク送信手段により送信された測定情報に含まれるデータ測定器の測定器識別情報が該測定情報に対応するユーザに関し未登録と判断された場合、該測定器識別情報を登録し、該測定情報をユーザ毎に所定の形式に基づきデータ記録部に記録することができる。
【００１３】
この発明のデータ送受信装置は、情報端末装置と所定のインタフェースにより脱着可能に接続されたデータ送受信装置であって、所定のワイヤレス通信方式により接続され前記データ送受信装置により起動される複数台設置可能なデータ測定器へ該データ測定器の起動指令を含む所定の情報を送信する情報送信手段と、前記情報送信手段により送信された所定の情報に基づいて起動された前記データ測定器から送られたユーザの測定データを受信する測定データ受信手段と、前記測定データ受信手段により受信した測定データに基づく測定情報であって該データ送受信装置を特定する機器認証情報を含むものを前記情報端末装置へ送信する測定情報送信手段とを備え、前記情報端末装置とネットワークを介して接続されたデータ管理サーバであってデータ記録部を有するものにより、予め該データ記録部に記録されたユーザ認証情報を含むユーザ情報と前記情報端末装置を介して取得した該データ送受信装置の機器認証情報とに基づき、該データ送受信装置と該ユーザ情報とが関連付けられて使用前登録されたか否かが判断されることを特徴とする。
【００１４】
ここで、この発明のデータ送受信装置において、前記測定情報は、前記情報端末装置から前記データ管理サーバへ送信され、ユーザ毎に所定の形式に基づき前記データ記録部に記録され、該データ管理サーバにより該情報端末装置側に閲覧させることができる。
【００１５】
ここで、この発明のデータ送受信装置において、前記データ管理サーバにより、前記データ送受信装置が使用前登録されていないと判断され、該情報端末装置を介して取得されたユーザ認証情報に基づき前記データ記録部が検索され、検索されたユーザ認証情報と該機器認証情報とが関連付けされ、検索されたユーザ認証情報に対応するユーザ情報であって該ユーザ認証情報を除くものが、該情報端末装置を介して該データ送受信装置側へ登録されることができる。
【００１６】
ここで、この発明のデータ送受信装置において、前記データ管理サーバにより、該測定情報に含まれる機器認証情報がユーザ認証情報と関連付けられている場合に、該測定情報は該ユーザ認証情報に対応させて所定の形式に基づきデータ記録部に記録されることができる。
【００１７】
ここで、この発明のデータ送受信装置において、前記データ管理サーバにより、前記情報端末装置側にユーザ認証情報の入力が要求され、入力されたユーザ認証情報が前記データ記録部に記録されたユーザ認証情報と一致する場合、該ユーザ認証情報に対応する測定情報を該情報端末装置側に閲覧させることができる。
【００１８】
ここで、この発明のデータ送受信装置において、前記ユーザ認証情報はユーザ識別子、パスワード、ユーザの生体的特徴のいずれか１つ以上の組合せであるものとすることができる。
【００１９】
ここで、この発明のデータ送受信装置において、前記測定データ受信手段により受信するデータ測定器から送られた測定データは該データ測定器の測定器識別情報を含み、前記データ記録部はユーザ毎に使用する測定器識別情報が登録されており、前記データ管理サーバにより、前記情報端末装置から送信された測定情報に含まれるデータ測定器の測定器識別情報が該測定情報に対応するユーザに関し未登録と判断された場合、該測定器識別情報が登録され、該測定情報をユーザ毎に所定の形式に基づきデータ記録部に記録されることができる。
【００２０】
この発明のデータ管理サーバは、ネットワークを介して情報端末装置と接続されたデータ管理サーバであって、前記情報端末装置と所定のインタフェースにより脱着可能に接続されたデータ送受信装置により、該データ送受信装置と所定のワイヤレス通信方式により接続され該データ送受信装置により起動される複数台設置可能なデータ測定器へ該データ測定器の起動指令を含む所定の情報が送信され、該所定の情報に基づいて起動された該データ測定器から送られたユーザの測定データが受信され、該測定データに基づく測定情報であって該データ送受信装置を特定する機器認証情報を含むものが該情報端末装置を介して前記データ管理サーバへ送信され、前記データ管理サーバは、送信された前記測定情報をユーザ毎に所定の形式に基づきデータ記録部に記録する測定情報記録手段と、予め前記データ記録部に記録されたユーザ認証情報を含むユーザ情報と前記情報端末装置を介して取得した前記データ送受信装置の機器認証情報とに基づき、該データ送受信装置と該ユーザ情報とが関連付けられて使用前登録されたか否かを判断する判断手段とを備えたことを特徴とする。
【００２１】
ここで、この発明のデータ管理サーバにおいて、前記データ記録部に記録された測定情報を前記情報端末装置側に閲覧させる閲覧提供手段をさらに備えることができる。
【００２２】
ここで、この発明のデータ管理サーバにおいて、前記判断手段により前記データ送受信装置が使用前登録されていないと判断された場合、前記情報端末装置を介してユーザ認証情報を取得するユーザ認証情報取得手段と、前記ユーザ認証情報取得手段により取得したユーザ認証情報に基づき前記データ記録部を検索する検索手段と、前記検索手段により検索されたユーザ認証情報と前記機器認証情報とを関連付けする関連付け手段と、前記検索手段により検索されたユーザ認証情報に対応するユーザ情報であって該ユーザ認証情報を除くものを、前記情報端末装置を介して前記データ送受信装置側へ登録する登録手段とをさらに備えることができる。
【００２３】
ここで、この発明のデータ管理サーバにおいて、前記測定情報記録手段は、前記機器認証情報がユーザ認証情報と関連付けられている場合に、該測定情報を該ユーザ認証情報に対応させて所定の形式に基づきデータ記録部に記録することができる。
【００２４】
ここで、この発明のデータ管理サーバにおいて、前記閲覧提供手段は、前記情報端末装置側にユーザ認証情報の入力を要求し、入力されたユーザ認証情報が前記データ記録部に記録されたユーザ認証情報と一致する場合、該ユーザ認証情報に対応する測定情報を該情報端末装置側に閲覧させることができる。
【００２５】
ここで、この発明のデータ管理サーバにおいて、前記ユーザ認証情報はユーザ識別子、パスワード、ユーザの生体的特徴のいずれか１つ以上の組合せであるものとすることができる。
【００２６】
ここで、この発明のデータ管理サーバにおいて、前記データ測定器から送られた測定データは該データ測定器の測定器識別情報を含み、前記データ記録部はユーザ毎に使用する測定器識別情報が登録されており、前記測定情報記録手段は、前記情報端末装置を介して送信された測定情報に含まれるデータ測定器の測定器識別情報が該測定情報に対応するユーザに関し未登録と判断された場合、該測定器識別情報を登録し、該測定情報をユーザ毎に所定の形式に基づきデータ記録部に記録することができる。
【００２７】
この発明のデータ管理方法は、ネットワークを介して接続された情報端末装置及びデータ管理サーバと、該情報端末装置と所定のインタフェースにより脱着可能に接続されたデータ送受信装置と、該データ送受信装置と所定のワイヤレス通信方式により接続され該データ送受信装置により起動される複数台設置可能なデータ測定器とを用いるデータ管理方法であって、前記データ送受信装置が、データ測定器へ該データ測定器の起動指令を含む所定の情報を送信する情報送信ステップと、前記情報送信ステップにより送信された所定の情報に基づいて起動された前記データ測定器から送られたユーザの測定データを受信する測定データ受信ステップと、前記測定データ受信ステップにより受信した測定データに基づく測定情報であって該データ送受信装置の機器認証情報を含むものを前記情報端末装置へ送信する測定情報送信ステップと、前記情報端末装置が、前記測定情報送信ステップにより送信された測定情報を前記データ管理サーバへ送信するネットワーク送信ステップと、前記データ管理サーバが、前記ネットワーク送信ステップにより送信された測定情報をユーザ毎に所定の形式に基づきデータ記録部に記録する測定情報記録ステップと、予め前記データ記録部に記録されたユーザ認証情報を含むユーザ情報と前記情報端末装置を介して取得した前記データ送受信装置を特定する機器認証情報とに基づき、該データ送受信装置と該ユーザ情報とが関連付けられて使用前登録されたか否かを判断する判断ステップとを備えたことを特徴とする。
【００２８】
ここで、この発明のデータ管理方法において、前記データ管理サーバが、前記データ記録部に記録された測定情報を前記情報端末装置側に閲覧させる閲覧提供ステップをさらに備えることができる。
【００２９】
ここで、この発明のデータ管理方法において、前記データ管理サーバが、前記判断ステップにより前記データ送受信装置が使用前登録されていないと判断された場合、前記情報端末装置を介してユーザ認証情報を取得するユーザ認証情報取得ステップと、前記ユーザ認証情報取得ステップにより取得したユーザ認証情報に基づき前記データ記録部を検索する検索ステップと、前記検索ステップにより検索されたユーザ認証情報と前記機器認証情報とを関連付けする関連付けステップと、前記検索ステップにより検索されたユーザ認証情報に対応するユーザ情報であって該ユーザ認証情報を除くものを、前記情報端末装置を介して前記データ送受信装置側へ登録する登録ステップとをさらに備えたことができる。
【００３０】
ここで、この発明のデータ管理方法において、前記データ記録部はユーザ毎に使用する測定器識別情報が登録されており、前記測定情報記録ステップは、前記ネットワーク送信ステップにより送信された測定情報に含まれるデータ測定器の測定器識別情報が該測定情報に対応するユーザに関し未登録と判断された場合、該測定器識別情報を登録し、該測定情報をユーザ毎に所定の形式に基づきデータ記録部に記録することができる。
【発明の効果】
【００３１】
本発明のデータ管理システム等によれば、ユーザがリレーキーの通信ボタンを押下することによりデータ測定器へ所定の情報を送信する。データ測定器は所定の情報に基づいて、自動的に起動され、体重等のデータを測定し、測定した測定データをリレーキー側へ送信する。リレーキーは、データ測定器へ送信された所定の情報に基づいて起動され、測定を行ったデータ測定器から送られた測定データを受信する。すなわち、通信ボタンを押下することだけで測定データの取得を行うことができる。リレーキーは、受信した測定データに基づく測定情報をＰＣへ送信する。データ測定器とリレーキーとの間は赤外線または特定小電力無線等によるワイヤレス通信方式で通信を行い、リレーキーとＰＣとの間はＵＳＢによるインタフェースで接続することが好適であるため、データ測定器で測定された測定データをリレーキーを介してＰＣへ自動的且つリアルタイムに送信することができる。このため、被測定者に対して測定データの入力に手間を掛けさせずにすむことができる。ホーム・システム内の構成はＰＣ、リレーキーおよびデータ測定器のみですむため、安価な機器構成とすることができる。ＰＣは、リレーキーから送信された測定情報を健康管理事業者側のサーバへ送信する。当該サーバは、送信された測定情報を所定の形式に基づきデータベースＤＢに記録し、データベースＤＢに記録された測定情報をＰＣ側に閲覧させる。ＰＣから上記サーバへの測定情報の送信、データベースＤＢへの測定情報の記録およびＰＣへの測定情報の閲覧提供という一連の動作は、リレーキーをＰＣのＵＳＢポートに接続した状態で自動的に行うことができる。以上の結果、体組成計等のデータ測定器とＰＣとの間の距離が有線ケーブルの長さに限定されず、メモリ媒体の着脱というデータ交換のための面倒な操作を要することなく、健診データ等の測定データの入力に手間を要することなく、且つ安価な機器構成のデータ管理システム等を提供することができるという効果がある。
【発明を実施するための最良の形態】
【００３２】
以下、各実施例について図面を参照して詳細に説明する。
【実施例１】
【００３３】
図１は、本発明の実施例１におけるデータ管理システム１を示す。図１において、符号５はインターネット等のネットワーク、１０は健康管理用のデータを測定する被測定者（不図示）のホーム・システム、１１はネットワーク５とルータ１３を介して接続したＰＣ（情報端末装置）、４０は上記被測定者の健康管理用のデータを管理する健康管理事業者側システム、４４はネットワーク５とルータ４２を介して接続した健康管理事業者側システムのサーバ（データ管理サーバ。以下、「事業者側サーバ」と略す。）である。図１に示されるように、ＰＣ１１と事業者側サーバ４４とはネットワーク５を介して接続されている。
【００３４】
図１に示されるホーム・システム１０内において、符号１２はＰＣ１１と所定のインタフェースにより脱着可能に接続されたリレーキー（データ送受信装置）、１４、１６および１８はリレーキー１２と所定のワイヤレス通信方式(後述)により接続されたデータ測定器である。所定のインタフェースとしては、例えばＵＳＢ（Universal Serial Bus）を用いることができる。他の任意のインタフェースであってもよいことは勿論である。
【００３５】
図１において、符号２０はリレーキー１２の機能を示す機能ブロックである。図１に示されるように、リレーキー１２は、データ測定器１４等へ所定の情報を送信する情報送信部（情報送信手段）２２と、情報送信部２２により送信された所定の情報に基づいてデータ測定器１４等から送られた測定データを受信する測定データ受信部（測定データ受信手段）２４と、測定データ受信部２４により受信した測定データに基づく測定情報をＰＣ１１へ送信する測定情報送信部（測定情報送信手段）２６とを備えている。所定の情報および測定データ等はリレーキー１２内部のメモリ（不図示）に記録されている。以上の機能はハードウェア、ソフトウェアを適宜組み合わせて実現することが可能である。図１に示されるように、データ測定器１４等とＰＣ１１とはリレーキー１２を介して接続されており、データ測定器１４等で測定された測定データはリレーキー１２を介してＰＣ１１へ転送することができる。このため、従来のシステムのようにデータ測定器１４等とＰＣ１１との間の距離は両者を接続するための有線ケーブルの長さに限定されないため、被測定者はＰＣ１１から離れた所望の場所で測定することが可能となっている。データ測定器１４等からＰＣ１１へデータ交換のためのメモリ媒体の着脱という面倒な操作を要することもない。データ測定器１等とリレーキー１２との間は赤外線または特定小電力無線等によるワイヤレス通信方式（所定のワイヤレス通信方式）で通信を行うことが好適である。特定小電力無線とは、免許を必要としない無線であり、アンテナ電力が１０ｍＷ以下の近距離用の無線（特定小電力無線局テレメータ用、テレコントロール用及びデータ伝送用無線設備標準規格ＡＲＩＢＳＴＤ−Ｔ６７）である。リレーキー１２とＰＣ１１との間はＵＳＢによるインタフェースで接続することが好適である。このため、データ測定器１４等で測定された測定データをリレーキー１２を介してＰＣ１１へ自動的且つリアルタイムに送信することができる。この結果、被測定者に対して測定データの入力に手間を掛けさせずにすむことができる。ホーム・システム１０内の構成はＰＣ１１、リレーキー１２およびデータ測定器１４等のみですむため、安価な機器構成とすることができる。
【００３６】
次に、ＰＣ１１と事業者側サーバ４４との間の通信等について説明する。図１において、符号３０はＰＣ１１の機能を示す機能ブロックである。図１に示されるように、ＰＣ１１は測定情報送信部２６により送信された測定情報を事業者側サーバ４４へ送信するネットワーク送信部（ネットワーク送信手段）３２を備えている。
【００３７】
図１において、符号５０は事業者側サーバ４４の機能を示す機能ブロックである。図１に示されるように、事業者側サーバ４４はネットワーク送信部３２により送信された測定情報をユーザ毎に所定の形式に基づきデータベースＤＢ（データ記録部）４６に記録する測定情報記録部（測定情報記録手段）５１と、データベースＤＢ４６に記録された測定情報をＰＣ１１側に閲覧させる閲覧提供部（閲覧提供手段）５２とを備えている。以上のＰＣ１１、事業者側サーバ４４の各機能は主としてソフトウェアにより実現することが可能である。
【００３８】
次に、上記所定の形式について説明する。図２は、データベースＤＢ４６に記録されたユーザ情報テーブル６０を示す。図２において、符号６１はユーザ（被測定者）ＩＤ欄、６２はパスワード欄、６３は身長欄、６４は性別欄、６５は年齢欄、６６は誕生日欄、６７はアスリートか標準かを示すアスリート欄である。ユーザ情報はユーザＩＤ欄６１からアスリート欄６７までの情報である。ユーザ情報の内、ユーザＩＤ欄６１およびパスワード欄６２はユーザ認証情報を記録する欄であり、身長欄６３からアスリート欄６７まではユーザ認証情報を除くユーザ情報を記録する欄である。例えば、ユーザ情報テーブル６０の第１行には、ユーザＩＤ欄６１にＵ１２３４、パスワード欄６２にＰＡＳＳ１、身長欄６３に１７５．０ｃｍ、性別欄６４に男、年齢欄６５に３８才、誕生日欄６６に１９６８年３月７日、アスリート欄６７にＹ（Ｙｅｓ）が記録されている。ユーザ認証情報としては上述のようにユーザＩＤおよびパスワードが好適であるが、バイオメトリクス認証（biometrics authentication）で用いられる、ユーザの指紋情報、虹彩情報、静脈パターン等の生体的特徴を用いてもよい。ユーザＩＤ、パスワード、ユーザの生体的特徴のいずれか１つ以上の組合せであってもよいことは勿論である。ユーザは健康管理事業者側システム４０のウェブサイトでリレーキー１２を使用するための会員登録を行い、その際、上記ユーザ情報をデータベースＤＢ４６に予め記録しておく。
【００３９】
測定データは、ユーザ情報テーブル６０の体重欄６８、体脂肪欄６９、血圧欄７０、その他欄７１等に適宜記録される。体重欄６８等の数（種類）は予め所望の数だけ設けておくことができる。動的に体重欄６８等の数を増やす場合については実施例３で説明する。図２に示されるように、体重欄６８には例えば体重のテーブル６８’へのポインタを記録しておき、体重のテーブル６８’に設けられた測定年月日（時刻を含めてもよい。）欄６８−１と体重欄６８−２とに各々測定年月日と測定された体重とを逐次記録しておけばよい。測定年月日はデータ測定器１４等、リレーキー１２またはＰＣ１１等のタイマーで測定し測定情報に含めておけばよい。例えば体重のテーブル６８’の第１行には、測定年月日欄６８−１に２００６／０３／１５（２００６年３月１５日）、体重欄６８−２に７５．０ｋｇと記録する。あるいは体重欄６８には、測定年月日と測定された体重とを組とするリスト((測定年月日１、体重１)、(測定年月日２、体重２)、．．．)等を記録しておいてもよい。あるユーザの体脂肪欄６９、血圧欄７０、その他欄７１等についても同様に記録でき、他のユーザの体重欄６８等についても同様に記録できるため、各々についての説明は省略する。
【００４０】
図３は、リレーキー１２の構成を示す。図３において、符号２３は情報送信部２２がデータ測定器１４等へ所定の情報を送信するために用いる赤外線または特定小電力無線等の送受信器（点線で囲んで示す。）である。所定の情報としてはデータ測定器１４等を起動させるための起動指令、データ測定器１４等（例えば、体組成計）が必要とする被測定者の身長、年齢等の個人設定情報（上述のユーザ情報）がある。所定の情報は通信ボタン２１を押下することにより送信される。上記所定の情報がデータ測定器１４等に送信されると、データ測定器１４等は所定の情報に基づいて、自動的に起動され、体重等のデータを測定し、測定したユーザの測定データをリレーキー１２側へ送信する。測定データ受信部２４は当該測定データを赤外線送受信器２３等により受信する。図３において、符号２５はＵＳＢ端子であり、スライドキー２７を図３に示される矢印方向にスライドさせることにより、ＵＳＢ端子２５をリレーキー１２の外部に出しまたはリレーキー１２の内部に格納することができる。従来のＵＳＢ端子を用いた機器ではＵＳＢ端子自体は常時機器外部に出したままであるため、ＵＳＢ端子の保護用にキャップを被せる必要があった。当該キャップは紛失しやすいという欠点があったが、本発明のリレーキー１２ではスライドキー２７を設けることによりキャップを不要とすることができる。
【００４１】
図４は、リレーキー１２とＰＣ１１との接続状態を示す。図４に示されるように、ＰＣ１１のＵＳＢポート３１にリレーキー１２のＵＳＢ端子２５（図４では接続してあるため表示されていない。）を接続すればよい。上述のように、事業者側サーバ４４は閲覧提供部５２を備えており、閲覧提供部５２は測定情報を図４に示されるようにＰＣ１１のディスプレイ３３にグラフ、表等の種々の表示形式３５で閲覧させることができる。例えば、体重のテーブル６８’に基づき、あるユーザの体重の測定年月日による変化をグラフで表示することができる。閲覧提供部５２は、ユーザ情報テーブル６０中の測定データの種類に応じて表示形式３５を適宜使い分けてもよい。
【００４２】
図５は、ホーム・システム１０内の詳細な構成を示す。図５で図１および図３と同じ符号を付した箇所は同じ要素を示すため説明は省略する。図５に示されるように、データ測定器１４は体組成計、１６は血圧計、１８は歩数計である。図５では図面の都合上、リレーキー１２は他のデータ測定器１４等とほぼ同じサイズで示されているが、実際は手帳程度のコンパクトなサイズである。データ測定器１４等は被測定者の生体に関連するデータの測定器であることが好適であり、上述のデータ測定器１４等以外にも尿糖計、体温計等であってもよい。図５では３台のデータ測定器１４等が示されているが、これは図面の都合上のものであり、台数が３台に限定されるわけではなく、所望の台数のデータ測定器を設置することができる。データ測定器１４、１６および１８とリレーキー１２との間の通信方式は、各々赤外線ＩＮＦＲ１、ＩＮＦＲ２、ＩＮＦＲ３による送受信方式とすることができる。上述のように特定小電力無線等を用いてもよい。赤外線を用いる場合、赤外線送信のフォーマットとしては、一般的な家電製品協会フォーマット等またはオリジナルなフォーマット等を用いればよい。例えば、歩数計１８をリレーキー１２に載せる等の簡単な操作により測定データを自動的にリレーキー１２へ送信することができる。
【００４３】
図６は、本発明の実施例１におけるデータ管理方法の流れをフローチャートで示す。図６で、最左のフローチャートはデータ測定器１４等側の処理の流れを示し、左から２番目のフローチャートはリレーキー１２側の処理の流れを示し、右から２番目のフローチャートはＰＣ１１側の処理の流れを示し、最右のフローチャートは事業者側サーバ４４側の処理の流れを示し、相互の通信は各フローチャート間を結ぶ線により示す。図面の都合上、詳細な処理ブロックは省略する。図６では特に終端子は示されていないが、以下で説明される処理が適宜繰り返されるものとする。図６に示されるように、まず、ユーザがリレーキー１２の通信ボタン２１を押下することによりデータ測定器１４等へ所定の情報を送信する（情報送信ステップ。ステップＳ１０）。データ測定器１４等は上述のように所定の情報に基づいて、自動的に起動され、体重等のデータを測定し、測定したユーザの測定データをリレーキー１２側へ送信する。リレーキー１２は、情報送信ステップ（ステップＳ１０）によりデータ測定器１４等へ送信された所定の情報に基づいて起動され、測定を行ったデータ測定器１４等から送られた測定データを受信する（以上、測定データ受信ステップ。ステップＳ１２）。続いて、リレーキー１２は、測定データ受信ステップ（ステップＳ１２）により受信した測定データに基づく測定情報をＰＣ１１へ送信する（測定情報送信ステップ。ステップＳ１４）。
【００４４】
ＰＣ１１は、測定情報送信ステップ（ステップＳ１４）により送信された測定情報を事業者側サーバ４４へ送信する（ネットワーク送信ステップ。ステップＳ１６）。
【００４５】
事業者側サーバ４４は、ネットワーク送信ステップ（ステップＳ１６）により送信された測定情報を上述したユーザ毎の所定の形式に基づきデータベースＤＢ４６に記録する（測定情報記録ステップ。ステップＳ１８）。データベースＤＢ４６に記録された測定情報をＰＣ１１側に閲覧させる（ステップＳ２０。ステップＳ２２）。ＰＣ１１から事業者側サーバ４４への測定情報の送信、データベースＤＢ４６への測定情報の記録およびＰＣ１１への測定情報の閲覧提供という一連の動作は、リレーキー１２をＰＣ１１のＵＳＢポート３１に接続した状態で自動的に行うことができる。既に送信済みの測定情報を後に閲覧するだけの場合も同様に、リレーキー１２をＰＣ１１のＵＳＢポート３１に接続した状態で行うことができる。
【００４６】
以上より、本発明の実施例１によれば、ユーザはリレーキー１２の通信ボタン２１を押下することによりデータ測定器１４等へ所定の情報を送信する。データ測定器１４等は上述のように所定の情報に基づいて、自動的に起動され、体重等のデータを測定し、測定した測定データをリレーキー１２側へ送信する。リレーキー１２は、データ測定器１４等へ送信された所定の情報に基づいて起動され、測定を行ったデータ測定器１４等から送られたユーザの測定データを受信する。すなわち、通信ボタン２１を押下することだけでユーザの測定データの取得を行うことができる。リレーキー１２は、受信したユーザの測定データに基づく測定情報をＰＣ１１へ送信する。データ測定器１４等とリレーキー１２との間は赤外線または特定小電力無線等によるワイヤレス通信方式で通信を行い、リレーキー１２とＰＣ１１との間はＵＳＢによるインタフェースで接続するため、データ測定器１４等で測定された測定データをリレーキー１２を介してＰＣ１１へ自動的且つリアルタイムに送信することができる。このため、被測定者に対して測定データの入力に手間を掛けさせずにすむことができる。ホーム・システム１０内の構成はＰＣ１１、リレーキー１２およびデータ測定器１４等のみですむため、安価な機器構成とすることができる。
【００４７】
続いてＰＣ１１は、リレーキー１２から送信された測定情報を事業者側サーバ４４へ送信する。事業者側サーバ４４は、送信された測定情報をユーザ毎に所定の形式に基づきデータベースＤＢ４６に記録し、データベースＤＢ４６に記録された測定情報をＰＣ１１側に閲覧させる。ＰＣ１１から事業者側サーバ４４への測定情報の送信、データベースＤＢ４６への測定情報の記録およびＰＣ１１への測定情報の閲覧提供という一連の動作は、リレーキー１２をＰＣ１１のＵＳＢポート３１に接続した状態で自動的に行うことができる。以上の結果、体組成計等のデータ測定器１４等とＰＣ１１との間の距離が有線ケーブルの長さに限定されず、メモリ媒体の着脱というデータ交換のための面倒な操作を要することがなく、健診データ等の測定データの入力に手間を要することなく、且つ安価な機器構成のデータ管理システム等を提供することができる。
【実施例２】
【００４８】
図７は、本発明の実施例２におけるデータ管理システム２を示す。図７で図１と同じ符号を付した箇所は同じ要素／機能を示すため説明は省略する。実施例２が実施例１と異なる点は、ユーザ認証情報を用いたリレーキー１２の使用前登録の機能が加わった点にある。より詳しくは図７の機能ブロック５０に示されるように、事業者側サーバ４４の機能に、判断部（判断手段）５３、ユーザ認証情報取得部（ユーザ認証情報取得手段）５４、検索部（検索手段）５５、関連付け部（関連付け手段）５６および登録部（登録手段）５７が追加された点である。
【００４９】
図７に示される判断部５３は、予めデータベースＤＢ４６に記録されたユーザ認証情報を含むユーザ情報とＰＣ１１を介して取得したリレーキー１２の機器認証情報とに基づき、リレーキー１２が使用前登録されたか否かを判断する。機器認証情報としては、リレーキー１２のＲＯＭ等のメモリに記録されたシリアル番号が好適である。ユーザが会員登録後にリレーキー１２をＰＣ１１のＵＳＢポート３１に挿入することにより、事業者側サーバ４４はＰＣ１１を介してシリアル番号を取得する。判断部５３は、会員登録の際に予めデータベースＤＢ４６に記録されたユーザＩＤ等を含むユーザ情報とＰＣ１１を介して取得したリレーキー１２のシリアル番号とが関連付け（後述）されていない場合、リレーキー１２は未だ使用前登録されていないものと判断する。判断部５３は、シリアル番号自体がリレーキーの番号として適正であるか否かの確認も同時に行うことができる。
【００５０】
ユーザ認証情報取得部５４は、判断部５３によりリレーキー１２が使用前登録されていないと判断された場合、ＰＣ１１を介してユーザＩＤ等を取得する。すなわち、ユーザは改めて会員登録の際に入力したユーザＩＤ等を入力する。
【００５１】
検索部５５は、ユーザ認証情報取得部５４により取得したユーザＩＤ等に基づきデータベースＤＢ４６を検索する。図２を参照すると、取得したユーザＩＤがＵ１２３４であれば、ユーザ情報テーブル６０の第１行に当該ユーザＩＤ等が記録されていることを検索することができる。
【００５２】
図８は、データベースＤＢ４６に記録された関連付けテーブル８０を示す。図８において、符号８１はシリアル番号（Ｎｏ．）欄、８２はユーザＩＤ欄、８３はパスワード欄である。関連付け部５６は、検索部５５により検索されたユーザＩＤ等とシリアル番号とを関連付けテーブル８０を用いて関連付けする。例えば、図２に示されるようにユーザ情報テーブル６０で検索されたユーザＩＤがＵ１２３４でパスワードがＰＡＳＳ１であり、シリアル番号がＴＮＴ１１１１である場合、図８に示される関連付けテーブル８０のある行のシリアル番号欄８１にＴＮＴ１１１１を記録し、同じ行のユーザＩＤ欄８２、パスワード欄８３に各々Ｕ１２３４、ＰＡＳＳ１を記録することにより、関連付け（紐付け）を行うことができる。この結果、データベースＤＢ４６にリレーキー１２のシリアル番号が登録されると共に、ユーザとリレーキー１２との関連付けが行われる。関連付けは他の任意の方法を用いてもよく、例えば、関連付けテーブル８０にユーザＩＤ欄８２等を設ける替わりに、ユーザ情報テーブル６０の対応するユーザＩＤを有する行へのポインタを記録するポインタ欄を設けてもよい。
【００５３】
登録部５７は、検索部５５により検索されたユーザＩＤ等に対応するユーザ情報であってユーザＩＤ等を除くものを、ＰＣ１１を介してリレーキー１２側へ登録する。すなわち、リレーキー１２側に図２に示されるユーザ情報テーブル６０に記録された当該ユーザの身長欄６３からアスリート欄６７までのユーザ情報が記録（登録）される。以上により、リレーキー１２の使用前登録（初期登録）が完了する。
【００５４】
実施例１で説明したＰＣ１１から事業者側サーバ４４への測定データの送信、データベースＤＢ４６への記録等にも上述の各認証情報を用いることができる。測定情報送信部２６により送信される測定情報は、測定データに加えてリレーキー１２のシリアル番号を含んでいる。このため、測定情報記録部５１は関連付けテーブル８０を用いることにより、ネットワーク送信部３２により送信された測定情報に含まれるシリアル番号がユーザＩＤ等と関連付けられていると判断された場合、測定情報をユーザＩＤ等に対応させて所定の形式に基づきデータベースＤＢ４６のユーザ情報テーブル６０に記録する。所定の形式としてはユーザ情報テーブル６０の各欄の形式が好適であるが、他の任意の形式であってもよい。
【００５５】
同様に、実施例１で説明した事業者側サーバ４４からＰＣ１１への閲覧の提供にも上述の各認証情報を用いることができる。閲覧提供部５２は、ＰＣ１１側にユーザＩＤ等の入力を要求し、入力されたユーザＩＤ等がデータベースＤＢ４６のユーザ情報テーブル６０に記録されたユーザＩＤ等と一致する場合、当該ユーザＩＤ等に対応するユーザ情報テーブル６０の行の測定情報をＰＣ１１側に閲覧させることができる。ユーザから見れば、リレーキー１２をＰＣ１１のＵＳＢポート３１に接続するだけで、測定データを閲覧可能な会員ページのログイン画面へジャンプしたことになる。
【００５６】
図９は、本発明の実施例２におけるデータ管理方法の流れをフローチャートで示す。図９に示されるように、事業者側サーバ４４は、予めデータベースＤＢ４６に記録されたユーザＩＤ等を含むユーザ情報とＰＣ１１を介して取得したリレーキー１２のシリアル番号とに基づき、リレーキー１２が使用前登録されたか否かを判断する（判断ステップ。ステップＳ３０）。判断ステップ（ステップＳ３０）によりリレーキー１２が使用前登録されていないと判断された場合、ＰＣ１１を介してユーザＩＤ等を取得する（ユーザ認証情報取得ステップ。ステップＳ３２）。判断ステップ（ステップＳ３０）によりリレーキー１２が使用前登録されていると判断された場合、本フローチャートは終了する。ユーザ認証情報取得ステップ（ステップＳ３２）により取得したユーザＩＤ等に基づきデータベースＤＢ４６のユーザ情報テーブル６０を検索する（検索ステップ。ステップＳ３４）。検索ステップ（ステップＳ３４）により検索されたユーザＩＤ等とシリアル番号とを関連付けテーブル８０を用いて関連付けする（関連付けステップ。ステップＳ３６）。検索ステップ（ステップＳ３４）により検索されたユーザＩＤ等に対応するユーザ情報であってユーザＩＤ等を除くものを、ＰＣ１１を介してリレーキー１２側へ登録する（登録ステップ。ステップＳ３８）。
【００５７】
以上より、本発明の実施例２によれば、ユーザ認証情報およびそれを用いたリレーキー１２の使用前登録の機能を追加することができる。この結果、実施例１の効果に加えて、簡便なユーザの会員登録を行うことができ、ユーザの個人情報の保護を強化することができる。
【実施例３】
【００５８】
上述した各実施例では、ユーザ情報テーブル６０の体重欄６８等の数は、予め定められた固定的な数とされていた。本実施例３では、データ測定器の追加等に応じて動的に体重欄６８等を設ける例について説明する。データ測定器１４等から送られ測定データ受信部２４により受信される測定データに、当該データ測定器１４等の測定器識別情報（測定器ＩＤ）を含ませておくことができる。従って、ネットワーク送信部３２により送信された測定情報には上記測定器ＩＤが含まれることになる。この測定器ＩＤをデータベースＤＢ４６に記録することにより、ユーザ毎に、使用するデータ測定器１４等を登録（測定器登録）しておくことができる。測定情報記録部５１は、ネットワーク送信部３２により送信された測定情報に含まれるデータ測定器１４等の測定器ＩＤが、測定情報に対応するユーザに関し未登録と判断された場合、当該測定器ＩＤを新規なものとして測定器登録し、上記測定情報をユーザ毎に所定の形式に基づきデータ記録部に記録する。
【００５９】
図１０（Ａ）、（Ｂ）は、本発明の実施例３におけるユーザ情報テーブル６０’等を示す。図１０（Ａ）、（Ｂ）で図２と同じ符号を付した箇所は同じ要素を示すため説明は省略し、パスワード欄６２ないし誕生日欄６６は説明の都合上省略する。図１０（Ａ）、（Ｂ）でポインタ欄７５は測定器登録された測定器（および測定データ）へのポインタを示す。図１０（Ａ）に示されるように、ユーザＩＤがＵ１２３４のユーザのポインタ７５欄にはＮＵＬＬ（斜線で示す。）が設定されているため、データ測定器１４等による測定はまだ行われていない状態を示している。ここで、上記ユーザが体重計（測定器ＩＤは測定器ＩＤ１）により測定すると、体重計から送られ測定データ受信部２４により受信された測定データには、体重計の測定器ＩＤ１が含まれることになる。従って、ネットワーク送信部３２により送信された測定情報にも上記測定器ＩＤ１が含まれ、結局、測定情報記録部５１は体重計の測定器ＩＤ１を得ることになる。上記ユーザのポインタ７５欄にはＮＵＬＬが設定されたままであるため、測定情報記録部５１は上記ユーザに関し体重計の測定器登録は未登録と判断し、体重計の測定器ＩＤ１を新規なものとして測定器登録する。図１０（Ｂ）は、上記ユーザに関し体重計の測定器登録と体重の測定データの記録とが行われた状態を示す。図１０（Ｂ）に示されるように、ポインタ欄７５にはセルＣ１へのポインタが記録されており、セルＣ１の左セルＣ１１には測定器ＩＤ１が記録され、セルＣ１の中央のセルＣ１２には体重のテーブル６８’へのポインタが記録され、体重のテーブル６８’には測定年月日と体重の測定データとが記録されている。セルＣ１の右のセルＣ１３にはＮＵＬＬが設定されており、他のデータ測定器は登録されていないことを示している。次に測定器ＩＤ１の体重計により測定を繰返す場合、ポインタ欄７５を辿りセルＣ１１の内容を得ることにより当該体重計は既登録であることがわかるため、中央のセルＣ１２を辿って体重のテーブル６８’に新しい測定データ等を記録すればよい。
【００６０】
上記ユーザが新たに血圧計（測定器ＩＤは測定器ＩＤ２）により測定すると、血圧計１６から送られ測定データ受信部２４により受信される測定データには、血圧計１６の測定器ＩＤ２が含まれることになる。従って、ネットワーク送信部３２により送信された測定情報にも上記測定器ＩＤ２が含まれ、結局、測定情報記録部５１は血圧計１６の測定器ＩＤ２を得ることになる。図１０（Ｂ）に示されるように、上記ユーザのポインタ７５欄にはセルＣ１へのポインタが記録されており、セルＣ１の左セルＣ１１には測定器ＩＤ１が記録されているため、測定情報記録部５１はさらに右のセルＣ１３の内容を得る。右のセルＣ１３にはＮＵＬＬが設定されているため、測定情報記録部５１は上記ユーザに関し血圧計１６の測定器登録は未登録と判断し、血圧計１６の測定器ＩＤ２を新規なものとして測定器登録する。図１１は、上記ユーザに関し血圧計１６の測定器登録と血圧の測定データの記録とが行われた場合のユーザ情報テーブル６０’等を示す。図１１で図１０（Ａ）、（Ｂ）と同じ符号を付した箇所は同じ要素を示すため説明は省略する。図１１に示されるように、セルＣ１３にはセルＣ２へのポインタが記録されており、セルＣ２の左セルＣ２１には測定器ＩＤ２が記録され、セルＣ２の中央のセルＣ２２には血圧のテーブル７０’へのポインタが記録され、血圧のテーブル７０’には測定年月日欄７０−１と血圧欄７０−２とに各々測定データ等が記録されている。セルＣ２の右のセルＣ２３にはＮＵＬＬが設定されており、体重計と血圧計１６以外の他のデータ測定器は登録されていないことを示している。次に測定器ＩＤ２の血圧計１６により測定を繰返す場合、ポインタ欄７５およびセルＣ１３を辿りセルＣ２１の内容を得ることにより、当該血圧計１６は既登録であることがわかる。そこで、中央のセルＣ２２を辿って血圧のテーブル７０’に新しい測定データ等を記録すればよい。図１１では体重のテーブル６８’には複数回の測定データが記録されていることが示されている。
【００６１】
体組成計１４は体脂肪を測定する際に体重の測定も行っている。従って、体組成計１４から送られ測定データ受信部２４により受信される測定データには、体組成計１４の測定器ＩＤ３と共に、２種類の測定データ（体脂肪率および体重）が含まれている。図１２は、体組成計１４のように複数種類の測定データを含む場合におけるユーザ情報テーブル６０’等を示す。図１２で図１１と同じ符号を付した箇所は同じ要素を示すため説明は省略する。図１２に示されるように、セルＣ１の左のセルＣ１１に体組成計１４の測定器ＩＤ３が記録される点は上述の他のデータ測定器の場合と同様であるが、中央のセルＣ１２に記録されたポインタは体重のテーブル６８’を直接指さずにセルＭ１を指しており、セルＭ１の左のセルＭ１１に記録されたポインタが体重のテーブル６８’を指している。セルＭ１の右のセルＭ１２に記録されたポインタはセルＭ２を指しており、セルＭ２の左のセルＭ２１に記録されたポインタが体脂肪のテーブル６９’を指している。体脂肪のテーブル６９’には測定年月日欄６９−１と体脂肪欄６９−２とに各々測定データ等が記録されている。セルＭ２の右のセルＭ２２にはＮＵＬＬが記録されているため、体組成計１４の測定データは２種類であることがわかる。
【００６２】
以上より、本発明の実施例３によれば、データ測定器の追加等に応じて動的に体重欄６８等の数を設けることができる。この結果、ユーザが新規のデータ測定器を使用する場合であっても、新規のデータ測定器に対してリレーキー１２を従前のデータ測定器と同様に用いてデータの測定を行い、その後従前と同様にリレーキー１２をＰＣ１１に接続するだけで、事業者側サーバ４４は新規のデータ測定器の使用を認識することができる。閲覧提供部５２は、新規のデータ測定器の測定データの種類に応じて表示形式３５を適宜使い分けることができる。近年、内蔵脂肪型肥満によって様々な病気が引き起こされるというメタボリックシンドローム（metabolic syndrome）の概念が考えられるようになり、複数の測定データに基づく診断が必要となっている。本発明の実施例３によれば、このような診断が必要な場合においても、所望の新規のデータ測定器をそのまま用いるだけで、ユーザ側に負担をかけることなく対応することが可能となるデータ管理システムを提供することができる。
【産業上の利用可能性】
【００６３】
本発明の活用例として、会社員等のように多忙のため測定データを自らＰＣへ入力している時間的余裕のない人、独居老人家庭における老人等の方のようにＰＣ等の操作が不慣れで困難な人をユーザとする健康管理システムへの適用が挙げられる。
【図面の簡単な説明】
【００６４】
【図１】本発明の実施例１におけるデータ管理システム１を示す図である。
【図２】データベースＤＢ４６に記録されたユーザ情報テーブル６０を示す図である。
【図３】リレーキー１２の構成を示す図である。
【図４】リレーキー１２とＰＣ１１との接続状態を示す図である。
【図５】ホーム・システム１０の詳細な構成を示す図である。
【図６】本発明の実施例１におけるデータ管理方法の流れを示すフローチャートである。
【図７】本発明の実施例２におけるデータ管理システム２を示す図である。
【図８】データベースＤＢ４６に記録されたテーブルを示す図である。
【図９】本発明の実施例２におけるデータ管理方法の流れを示すフローチャートである。
【図１０】本発明の実施例３におけるユーザ情報テーブル６０’等を示す図である。
【図１１】血圧計１６の測定器登録と血圧の測定データの記録とが行われた場合のユーザ情報テーブル６０’等を示す図である。
【図１２】複数種類の測定データを含む場合におけるユーザ情報テーブル６０’等を示す図である。
【符号の説明】
【００６５】
１、２  データ管理システム、  ５  ネットワーク、  １０  ホーム・システム、  １１  ＰＣ、  １２  リレーキー、  １３、４２  ルータ、  １４、１６、１８  データ測定器、  ２０、３０、５０  機能ブロック、  ２１  通信ボタン、  ２２  情報送信部、  ２３  赤外線送受信器、  ２４  測定データ受信部、  ２６  測定情報送信部、  ２７  スライドキー、  ３１  ＵＳＢポート、  ３２  ネットワーク送信部、  ３３  ディスプレイ、  ３５  表示形式、  ４０  健康管理事業者側システム、  ４４  事業者側サーバ、  ４６  データベースＤＢ、  ５１  測定情報記録部、  ５２  閲覧提供部、  ５３  判断部、  ５４  ユーザ認証情報取得部、  ５５  検索部、  ５６  関連付け部、  ５７  登録部、  ６０、６０’  ユーザ情報テーブル、  ６１、８１  ユーザＩＤ欄、  ６２、８３  パスワード欄、  ６３  身長欄、  ６４  性別欄、  ６５  年齢欄、  ６６  誕生日欄、  ６７  アスリート欄、  ６８、６８−２  体重欄、  ６８’  体重のテーブル、  ６８−１、７０−１  測定年月日欄、  ６９、６９−２  体脂肪欄、  ６９’  体脂肪のテーブル、  ７０、７０−２  血圧欄、  ７０’  血圧のテーブル、  ７１  その他欄、  ７５  ポインタ欄、  ８０  関連付けテーブル、  ８１  シリアル番号欄。
【図１】
0004822423.tif 000002
【図２】
0004822423.tif 000003
【図６】
0004822423.tif 000004
【図７】
0004822423.tif 000005
【図８】
0004822423.tif 000006
【図９】
0004822423.tif 000007
【図１０】
0004822423.tif 000008
【図１１】
0004822423.tif 000009
【図１２】
0004822423.tif 000010
【図３】
0004822423.tif 000011
【図４】
0004822423.tif 000012
【図５】
0004822423.tif 000013